(57)【要約】【課題】電気コネクタ組立体の境界部分に降りかかった水が電気コネクタ組立体の内部に浸入するのを抑制できるコンパクトな電気コネクタ組立体を提供すること。【解決手段】本発明の電気コネクタ組立体１は、嵌合開口１８が設けられる第一ハウジング１１を有するオスコネクタ１０と、オスコネクタ１０の嵌合開口１８に嵌合される第二ハウジング３１を有するメスコネクタ３０と、第一ハウジング１１と第二ハウジング３１との嵌合開口１８に臨む境界部分に対応して設けられる排水構造と、を備える。この排水構造は、境界部分に頂上を有する山領域と、山領域にそれぞれが連なり、第一ハウジング１１に形成される第一谷領域と第二ハウジング３１に形成される第二谷領域とを、備える。【選択図】図６
2019012592.tif 000002
【特許請求の範囲】
【請求項１】
嵌合開口が設けられる第一ハウジングを有する第一コネクタと、
前記第一コネクタの前記嵌合開口に嵌合される第二ハウジングを有する第二コネクタと、
前記第一ハウジングと前記第二ハウジングとの前記嵌合開口に臨む境界部分に対応して設けられる排水構造と、を備え、
前記排水構造は、
前記境界部分に頂上を有する山領域と、
前記山領域にそれぞれが連なり、前記第一ハウジングに形成される第一谷領域と前記第二ハウジングに形成される第二谷領域とを、備える、
ことを特徴とする電気コネクタ組立体。
【請求項２】
前記山領域、前記第一谷領域及び前記第二谷領域は、
前記第一ハウジング及び前記第二ハウジングにおける、少なくとも水の降りかかる可能性のある受水部位に設けられる、
請求項１に記載の電気コネクタ組立体。
【請求項３】
前記第一谷領域に連なり、前記受水部位とは異なる前記第一ハウジングの側面を、水が案内される第一排水路と、
前記第二谷領域に連なり、前記受水部位とは異なる前記第二ハウジングの側面を、水が案内される第二排水路と、を備える、
請求項２に記載の電気コネクタ組立体。
【請求項４】
前記山領域は、
前記第一ハウジングに形成され、前記第一ハウジングの後方に向けて下る第一傾斜面と、
前記第二ハウジングに形成され、前記第二ハウジングの後方に向けて下る第二傾斜面と、を備える、
請求項１〜請求項３のいずれか一項に記載の電気コネクタ組立体。
【請求項５】
前記頂上に臨む前記第一傾斜面の位置と、前記頂上に臨む前記第一傾斜面の位置は、高さ方向において一致するか又は異なる、
請求項４に記載の電気コネクタ組立体。
【発明の詳細な説明】
【技術分野】
【０００１】
本発明は、一対の電気コネクタの境界部分から内部への水分の浸入を抑制できる電気コネクタ組立体に関するものである。
【背景技術】
【０００２】
電気コネクタ組立体は、内部に水が浸入するのを避けるために、一対の電気コネクタ、つまり、オスコネクタとメスコネクタの間に、ゴム製のシールリングと称される、ハウジングとは別体の部材を介在させることが行われている。
シールリングを設けることは防水という観点からは優れているが、部材の点数が多くなるなどの問題がある。したがって、水が降りかかる可能性が小さい位置に置かれる電気コネクタ組立体については、シールリングを設けることなく、ある程度の、つまり軽度の防水性能を確保できれば足りる。
通常、電気コネクタ組立体が使用される状態においては鉛直方向の上面に水が降りかかるので、この上面で受けた水がオスコネクタとメスコネクタの隙間に浸入するおそれが高い。
【０００３】
特許文献１は、電子回路装置への液体の滴下位置、あるいは電子回路装置の車体への取付け角度に拘わらず、確実にケースに形成した凹部に排水できるようにしたエアバッグ展開用電子回路装置を提案する。
この電子回路装置は、ケース（１２）の一方側面（１２ｂ）の底部（１２ａ）を除く周方向全域に、開口端面の外側に向けて開口が徐々に拡がる拡径部（１２ｃ）を形成したことを特徴としている。この電子回路装置は、ケース（１２）の一方側面（１２ｂ）と、この一方側面（１２ｂ）と反対側の他方側面（１２ｄ）の間に、排水溝となる底部（１２ａ）に向かって傾斜する斜面を有する凹部（１２ｅ）が形成されている。
【先行技術文献】
【特許文献】
【０００４】
【特許文献１】国際公開第２０１３／０４２７１４号
【発明の概要】
【発明が解決しようとする課題】
【０００５】
特許文献１の電子回路装置は、底部（１２ａ）を除く周方向全域に拡径部（１２ｃ）を備えるので、コンパクトにできない。また、特許文献１の電子回路装置は、コネクタ（１３）を備えるが、コネクタ（１３）のほとんどの部分が収納室の内部に収納されるので、一対のコネクタの境界部分に水が降りかかることを想定していない。
【０００６】
以上より、本発明は、電気コネクタ組立体の境界部分に降りかかった水が電気コネクタ組立体の内部に浸入するのを抑制できるコンパクトな電気コネクタ組立体を提供することを目的とする。
【課題を解決するための手段】
【０００７】
本発明の電気コネクタ組立体は、嵌合開口が設けられる第一ハウジングを有する第一コネクタと、第一コネクタの嵌合開口に嵌合される第二ハウジングを有する第二コネクタと、第一ハウジングと第二ハウジングとの嵌合開口に臨む境界部分に対応して設けられる排水構造と、を備える。
本発明における排水構造は、境界部分に頂上を有する山領域と、山領域にそれぞれが連なり、第一ハウジングに形成される第一谷領域と第二ハウジングに形成される第二谷領域とを、備える、ことを特徴とする。
【０００８】
本発明の排水構造は、山領域、第一谷領域及び第二谷領域を、第一ハウジング及び第二ハウジングにおける、少なくとも水の降りかかる可能性のある受水部位に設けることができる。
【０００９】
本発明の排水構造は、第一谷領域に連なり、受水部位とは異なる第一ハウジングの側面を、水が案内される第一排水路と、第二谷領域に連なり、受水部位とは異なる第二ハウジングの側面を、水が案内される第二排水路と、を備えることができる。
【００１０】
本発明の排水構造における山領域は、第一ハウジングに形成され、第一ハウジングの後方に向けて下る第一傾斜面と、第二ハウジングに形成され、第二ハウジングの後方に向けて下る第二傾斜面と、から構成できる。
【００１１】
本発明の排水構造において、頂上に臨む第一傾斜面の位置と、頂上に臨む第一傾斜面の位置は、高さ方向において一致してもよいし、異なってもよい。
【発明の効果】
【００１２】
本発明の電気コネクタ組立体によれば、排水構造が、境界部分に頂上を有する山領域と、山領域にそれぞれが連なり、第一ハウジングに形成される第一谷領域と第二ハウジングに形成される第二谷領域とを、備える。したがって、境界部分に降りかかった水は、排水構造により境界部分から速やかに遠ざけられるので、電気コネクタ組立体の内部に水が浸入するのを抑制できる。また、本発明の排水構造は、山領域と谷領域を備えるが、これらは相対的な起伏で構成できるので、電気コネクタ組立体を構成する第一ハウジング及び第二ハウジングの寸法を大きくする必要がない。したがって、コンパクトな電気コネクタ組立体を実現できる。
【図面の簡単な説明】
【００１３】
【図１】本発明の実施形態に係る電気コネクタ組立体を示す斜視図である。
【図２】図１とは異なる向きから示す、本実施形態に係る電気コネクタ組立体を示す斜視図である。
【図３】図１の電気コネクタ組立体からメスコネクタを省いてオスコネクタだけを示す斜視図である。
【図４】本実施形態に係る電気コネクタ組立体を示す右側面図である。
【図５】本実施形態に係る電気コネクタ組立体を示し、（ａ）は底面図、（ｂ）は左側面図である。
【図６】本実施形態に係る電気コネクタ組立体において水の浸入を抑制できる理由を説明する図である。
【図７】本実施形態に係る電気コネクタ組立体の変形例を示す図である。
【図８】本実施形態に係る電気コネクタ組立体の他の変形例を示す図である。
【発明を実施するための形態】
【００１４】
以下、添付図面を参照しながら、本発明の実施形態について説明する。
本実施形態に係る電気コネクタ組立体１は、図１〜図５に示すように、例えばプリント配線板側に固定されるオスコネクタ１０と、オスコネクタ１０に嵌合されるメスコネクタ３０と、を備える。オスコネクタ１０は、オス型のコンタクト２９を保持し、メスコネクタ３０は、図示を省略するメス型のコンタクトを保持する。本実施形態においては、オスコネクタ１０には、３つのメスコネクタ３０が一方向に並んで嵌合される。
電気コネクタ組立体１は、図１〜図３に示すように、高さ方向Ｚが鉛直方向（Ｖ）に沿う姿勢で使用される。したがって、電気コネクタ組立体１の上面が水の降りかかる可能性のある受水部位になる。
なお、電気コネクタ組立体１において、奥行方向Ｘ、幅方向Ｙ及び高さ方向Ｚは、図１に矢印で示すように定義されるものとする。
【００１５】
［オスコネクタ１０］
オスコネクタ１０は、図１及び図３に示すように、電気絶縁性の樹脂から一体的に形成されるメス型の第一ハウジング１１と、導電性を備える、例えば銅系材料から形成されたコンタクト２９と、を備えている。オスコネクタ１０を構成する材料は、メスコネクタ３０にも当てはまる。
第一ハウジング１１には、複数のコンタクト２９が、互いに間隔を隔てて配列した状態で保持されるとともに、メスコネクタ３０が嵌合されるフード１３（図３）が形成されている。それぞれのコンタクト２９は、第一ハウジング１１に装着されるタインプレート４８により所望位置に整列される。
【００１６】
フード１３は、角筒状の部材であり、嵌合開口１８が設けられている。フード１３は、メスコネクタ３０を受け入れる受容キャビティ１９を備えている。本実施形態において、フード１３は仕切壁１７によって３つに区切られており、これら３つのフード１３に対応するそれぞれの受容キャビティ１９にメスコネクタ３０が嵌合される。
【００１７】
コンタクト２９は、メスコネクタ３０のコンタクトと電気的に接続される部分が受容キャビティ１９の内部に延びるとともに、図示を省略するプリント配線板に接続される部分が第一ハウジング１１の後方へ延びている。コンタクト２９は、受容キャビティ１９内において、幅方向Ｙについて複数列に配置され、また、高さ方向Ｚについても複数行に配置されている。
なお、オスコネクタ１０及びメスコネクタ３０のそれぞれにおいて、互いに嵌合される側を前、その逆の側を後と定義する。
【００１８】
第一ハウジング１１は、図１、図２、図４及び図５に示すように、高さ方向Ｚに延び、幅方向Ｙに所定の間隔を隔てて対向する右側面１４Ａ及び左側面１４Ｂと、右側面１４Ａと左側面１４Ｂの高さ方向Ｚの両端を繋ぐ上面１５Ａ及び下面１５Ｂと、を備える。第一ハウジング１１は、図３に示すように、２つの仕切壁１７が高さ方向Ｚを３つの部分に区切ることで、３つのフード１３が形成される。
【００１９】
フード１３は、図３に示すように、左側面１４Ｂの受容キャビティ１９に臨む前端部分の側面に、後述するメスコネクタ３０のロックアーム４０に形成されるロック突起が係止されるロック突起２７が設けられている。オスコネクタ１０にメスコネクタ３０を嵌合する過程で、ロックアーム４０の図示を省略するロック突起がオスコネクタ１０のロック突起２７を乗り越えることでロックされ、オスコネクタ１０とメスコネクタ３０は相互に抜け止めがなされる。
【００２０】
第一ハウジング１１は、図１〜図５に示すように、フード１３の前端から突き出すように形成される第一排水構造２２を備える。
第一排水構造２２は、オスコネクタ１０とメスコネクタ３０の境界部分に上方から降りかかる水をオスコネクタ１０とメスコネクタ３０の内部に浸入するのを抑制するために設けられる。第一排水構造２２は、上面１５Ａ、右側面１４Ａ及び下面１５Ｂに対応して設けられており、受水部位である上面１５Ａに降りかかった水を、上面１５Ａから受水部位とは異なる第一ハウジング１１の側面である右側面１４Ａに沿って案内して排出させる。
【００２１】
第一排水構造２２は、奥行方向Ｘに直交する平坦な面からなる前端面２３と、前端面２３に連なる傾斜面２４と、傾斜面２４に連なるＶ字状の凹溝２５と、を備える。
傾斜面２４は、前方から後方に向けて、前端面２３よりも第一ハウジング１１の外側に向けて張り出すように傾斜しており、上面１５Ａにおいては、その後端が前端面２３よりも高い位置にある。
次に、凹溝２５は、図６（ａ）に示すように、前方から後方に向けて、第一ハウジング１１の内側に向けて傾斜する第一傾斜面２５Ａと、第一傾斜面２５Ａよりも第一ハウジング１１の外側に向けて傾斜する第二傾斜面２５Ｂと、を備えている。第二傾斜面２５Ｂの後端は、上面１５Ａに連なっている。
第一排水構造２２は、図６（ａ）に示すように、上面１５Ａにおいて、傾斜面２４において後方に向けて連続的に高くなるがその頂点を境にして凹溝２５の第一傾斜面２５Ａにおいて後方に向けて連続的に低くなり、さらに第二傾斜面２５Ｂにおいて後方に向けて連続的に高くなる、という起伏を有している。つまり、第一排水構造２２は、傾斜面２４と第一傾斜面２５Ａにより山領域が形成され、第一傾斜面２５Ａと第二傾斜面２５Ｂにより谷領域が形成されている。
【００２２】
ここでは、受水部位である上面１５Ａについて第一排水構造２２を説明したが、オスコネクタ１０の上下を反転すれば、図１の下面１５Ｂが受水部位になる。しかし、図５（ｂ）に示すように下面１５Ｂにも第一排水構造２２が設けられているので、オスコネクタ１０が図１と上下を反転されたとしても、第一排水構造２２の機能が発揮される。この前提として、メスコネクタ３０も上下反転に対応できるように第二排水構造３５が設けられている。
同様に、図１及び図４に示すように、右側面１４Ａの高さ方向Ｚの全域にわたって第一排水構造２２が設けられているので、オスコネクタ１０の右側面１４Ａが上向きの姿勢で使用されたとしても、第一排水構造２２の機能が発揮される。
【００２３】
［メスコネクタ３０］
次に、メスコネクタ３０について説明する。
メスコネクタ３０は、図１、図２、図４及び図５に示すように、第二ハウジング３１と、第二ハウジング３１に保持される図示を省略するメス型のコンタクトと、を備える。第二ハウジング３１は、オスコネクタ１０が保持するオス型のコンタクト２９に対応する数及び位置に、メス型のコンタクトを保持する。
第二ハウジング３１は、前方側に設けられる嵌合ブロック３３と、後方側に設けられる後端壁３４と、メスコネクタ３０をオスコネクタ１０と互いに抜け止めするロックアーム４０と、を備える。
【００２４】
第二ハウジング３１は、複数のコンタクト収容孔４７が格子状に形成されており、各コンタクト収容孔４７には図示を省略するコンタクトが挿入される。コンタクト収容孔４７は、第二ハウジング３１を前後方向に貫通する。
【００２５】
嵌合ブロック３３は、その前方側が第一ハウジング１１の受容キャビティ１９に挿入される。
嵌合ブロック３３は、傾斜面３６と平坦面３７（図６）を備えている。傾斜面３６は、その外周が後方から前方に向けて、第二ハウジング３１の外側に向けて張り出すように傾斜しており、平坦面３７は、奥行方向Ｘに対して平行をなしている。嵌合ブロック３３の平坦面３７が受容キャビティ１９に挿入される。
【００２６】
後端壁３４は、周方向の外側に向けてフランジ状に突き出して形成されている。
したがって、嵌合ブロック３３と後端壁３４の間は、嵌合ブロック３３と後端壁３４に比べて窪むが、この窪んだ部分であって、嵌合ブロック３３と後端壁３４の間に堰３８が設けられている。
【００２７】
第二ハウジング３１は、第二排水構造３５を有する。
第二排水構造３５は、後端壁３４、嵌合ブロック３３の傾斜面３６及び堰３８により構成される。上述したように、後端壁３４と傾斜面３６の間は窪んでおり、この窪みが第二排水路３９をなす。第二ハウジング３１の上面において、この第二排水路３９は幅方向Ｙの一方が堰３８により堰き止められている。
図４に示すように、第二排水構造３５は、第二ハウジング３１の上面から側面を通って下面まで連なっている。堰３８は第二ハウジング３１の下面にも設けられており、第二排水路３９は、上面の堰３８から下面の堰３８に亘って設けられている。したがって、第二ハウジング３１の上面において第二排水路３９に導かれた水は、第二排水路３９に案内され下面に向かって流れる。
【００２８】
［境界部分の構造］
図６（ａ）に示すように、オスコネクタ１０とメスコネクタ３０が互いに嵌合されていると、第二ハウジング３１の嵌合ブロック３３は第一ハウジング１１の受容キャビティ１９に挿入されるが、第二ハウジング３１の傾斜面３６が第一ハウジング１１の外部に露出している。
【００２９】
第一排水構造２２と第二排水構造３５で本発明の排水構造を構成するが、この排水構造は、オスコネクタ１０とメスコネクタ３０の境界部分に頂上を有する山領域をなしている。つまり、この山領域は、第一排水構造２２の第一傾斜面２５Ａから立ち上がり、第一傾斜面２５Ａと傾斜面２４が繋がるところが頂上となり、そこから嵌合開口１８を通って、第二排水構造３５の傾斜面３６において立ち下がるという起伏をなしている。
【００３０】
第一排水構造２２は、Ｖ字状をなす第一傾斜面２５Ａと第二傾斜面２５Ｂにより、本発明の第一谷領域を構成し、第二排水構造３５は、嵌合ブロック３３と後端壁３４の間の窪んだ部分が第二谷領域を構成する。
【００３１】
メスコネクタ３０の第二排水構造３５はオスコネクタ１０の第一排水構造２２に比べて高さ方向Ｚの低いところに位置し、傾斜面３６は第一排水構造２２の前端面２３からメスコネクタ３０の後方に向けて下っている。
第二排水路３９は、傾斜面３６と高さ方向Ｚに沿う面に連なっており、傾斜面３６よりもさらに低いところに位置している。
【００３２】
［作用及び効果］
次に、図６を参照して、電気コネクタ組立体１による作用及び効果を説明する。
はじめに、図６（ａ）を参照して、オスコネクタ１０とメスコネクタ３０の境界部分に水Ｗが降りかかった時の水Ｗの挙動について説明する。
第一排水構造２２の水Ｗは、高いところに位置する第一排水構造２２の傾斜面２４に降りかかり、一部はオスコネクタ１０の第一ハウジング１１の側に流れ、他の一部はメスコネクタ３０の第二ハウジング３１の側に流れる。
【００３３】
第一ハウジング１１の側に流れる水Ｗは、傾斜面２４と第一傾斜面２５Ａによる山から凹溝２５の底に至る。底に至った水Ｗは、凹溝２５により構成される右側面１４Ａの第一排水路２６に沿って下向きに流れる。
第二ハウジング３１の側に流れる水Ｗは、傾斜面３６に案内されて第二排水路３９に至り、第二排水路３９に沿って下向きに流れる。
【００３４】
以上の通りであり、電気コネクタ組立体１によれば、オスコネクタ１０とメスコネクタ３０の境界部分に降りかかった水Ｗは、第一ハウジング１１の側及び第二ハウジング３１の側に分岐するが、分岐した後は、第一傾斜面２５Ａ及び傾斜面３６による山領域の影響により下向きの流れが生じる。したがって、電気コネクタ組立体１によれば、オスコネクタ１０とメスコネクタ３０の境界部分において、内部に水が浸入するおそれのある第一ハウジング１１の嵌合開口１８の近傍に水Ｗが滞留するおそれが小さいため、電気コネクタ組立体１の内部に水Ｗが浸入するのを抑制できる。
しかも、電気コネクタ組立体１は、山領域と谷領域を備えるが、これらは相対的な起伏で構成できるので、第一ハウジング１１及び第二ハウジング３１の寸法を大きくする必要がない。このため、コンパクトな電気コネクタ組立体１が実現される。
【００３５】
また、電気コネクタ組立体１は、第一排水構造２２の第一排水路２６が、第一ハウジング１１の下端まで連なり、また、第二排水構造３５の第二排水路３９が、第二ハウジング３１の下端まで連なっている。これにより、第一排水構造２２及び第二排水構造３５のそれぞれに水Ｗが滞留することなく排水されるので、電気コネクタ組立体１の内部に水Ｗが浸入するのを抑制できるという効果を担保できる。
【００３６】
水Ｗが降りかかるのはオスコネクタ１０とメスコネクタ３０の境界に限るものでない。例えば、図６（ｂ）に示すように、境界から離れたところに水Ｗが降りかかることもある。この場合でも、第一ハウジング１１に落下した水Ｗは凹溝２５からなる第一排水路２６に案内され、第一排水路２６に沿って下端に向けて流れる。また、第二ハウジング３１に落下した水Ｗは第二排水路３９に案内され、第二排水路３９に沿って下端に向けて流れる。したがって、第一ハウジング１１の嵌合開口１８の近傍に水Ｗが至るおそれが小さいため、電気コネクタ組立体１の内部に水Ｗが浸入するのを抑制できる。
【００３７】
また、図６（ｃ）に示すように、第一ハウジング１１と第二ハウジング３１のそれぞれに水Ｗが降りかかることもある。この場合でも、図６（ｃ）に示すように、降りかかった水Ｗは、それぞれ第一排水構造２２の第一排水路２６又は第二排水構造３５の第二排水路３９に案内される。したがって、第一ハウジング１１の嵌合開口１８の近傍に水Ｗが至るおそれが小さく、電気コネクタ組立体１の内部に水Ｗが浸入するのを抑制できる。
【００３８】
以上、本発明の好ましい実施形態を説明したが、本発明の主旨を逸脱しない限り、上記実施形態で挙げた構成を取捨選択したり、他の構成に適宜変更したりすることができる。
例えば、以上で説明した電気コネクタ組立体１は、オスコネクタ１０とメスコネクタ３０の境界部分において高さ方向の位置が異なっているが、本発明はこれに限らず、図７（ａ）に示すように、オスコネクタ１０とメスコネクタ３０の境界部分における高さが一致していてもよい。
また、以上で説明した電気コネクタ組立体１は、オスコネクタ１０はメスコネクタ３０との境界部分から離れるにつれて高さが傾斜面２４で高くなってから第一傾斜面２５Ａで低くなる例を示しているが、図７（ｂ）に示すように、当該境界から離れるにつれて一方的に低くなるように凹溝２５と凹溝３２を設けてもよい。
【００３９】
また、以上で説明した電気コネクタ組立体１は、オスコネクタ１０とメスコネクタ３０の境界に傾斜面が臨む例を示したが、図７（ｃ）に示すように、嵌合方向に平行な外周面２８を挟んで凹溝２５を設けることもできる。ただし、この平行な外周面２８の嵌合方向の寸法が降りかかる水滴よりも長いと、水滴を排水溝に導くことが難しくなるので、外周面２８は水滴に比べて嵌合方向の寸法が短いことが必要である。
【００４０】
また、以上で説明した電気コネクタ組立体１は、Ｖ字状の凹溝２５の例を示したが、本発明はＵ字状の凹溝２５であってもよい。
【００４１】
次に、以上で説明した電気コネクタ組立体１は、図８（ａ）に示すように、凹溝２５の奥行方向Ｘの両端の高さが同じ例を示したが、本発明はこれに限定されない。例えば、図８（ｂ）に示すように、凹溝２５の前方側を後方側よりも高くしてもよいし、これとは逆に、図８（ｃ）に示すように、凹溝２５の後方側の高さを前方側よりも高くしてもよい。
また、以上で説明した電気コネクタ組立体１は、凹溝２５の谷のピークよりも前方側の長さが後方側の長さよりも短い例を示したが、この逆にしてもよいし、図８（ｄ）に示すように、凹溝２５の谷のピークよりも前方側の長さＬ１と後方側の長さＬ２を等しくてもよい。
【００４２】
また、電気コネクタ組立体１は、一つのオスコネクタ１０に３つのメスコネクタ３０が嵌合される例を示しているが、オスコネクタ１０に嵌合されるメスコネクタ３０の数は任意である。
また、本実施形態の電気コネクタ組立体１は、高さ方向Ｚが鉛直方向に沿うように配置されていたが、幅方向Ｙが鉛直方向に沿うように配置されても同様の効果を得ることができる。
【００４３】
上記以外にも、本発明の主旨を逸脱しない限り、上記実施形態で挙げた構成を取捨選択したり、他の構成に適宜変更したりすることが可能である。
【符号の説明】
【００４４】
１      電気コネクタ組立体
１０    オスコネクタ（第一コネクタ）
１１    第一ハウジング
１３    フード
１４Ａ  右側面  
１４Ｂ  左側面
１５Ａ  上面
１５Ｂ  下面
１７    仕切壁
１８    嵌合開口
１９    受容キャビティ
２２    第一排水構造
２３    前端面
２４    傾斜面
２５    凹溝
２５Ａ  第一傾斜面（第一傾斜面）
２５Ｂ  第二傾斜面
２６    第一排水路
２７    ロック突起
２９    コンタクト
３０    メスコネクタ（第二コネクタ）
３１    第二ハウジング
３２    凹溝
３３    嵌合ブロック
３４    後端壁
３５    第二排水構造
３６    傾斜面（第二傾斜面）
３７    平坦部
３８    堰
３９    第二排水路
４０    ロックアーム
４７    コンタクト収容孔
４８    タインプレート
Ｘ      奥行方向
Ｙ      幅方向
Ｚ      高さ方向
【図１】
2019012592.tif 000003
【図２】
2019012592.tif 000004
【図３】
2019012592.tif 000005
【図４】
2019012592.tif 000006
【図５】
2019012592.tif 000007
【図６】
2019012592.tif 000008
【図７】
2019012592.tif 000009
【図８】
2019012592.tif 000010
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
嵌合開口が設けられる第一ハウジングを有する第一コネクタと、
前記第一コネクタの前記嵌合開口に嵌合される第二ハウジングを有する第二コネクタと、
前記第一ハウジングと前記第二ハウジングとの前記嵌合開口に臨む境界部分に対応して設けられる排水構造と、を備え、
前記排水構造は、
前記境界部分に頂上を有する山領域と、
前記山領域にそれぞれが連なり、前記第一ハウジングに形成される第一谷領域と前記第二ハウジングに形成される第二谷領域とを、備える、
ことを特徴とする電気コネクタ組立体。
【請求項２】
前記山領域、前記第一谷領域及び前記第二谷領域は、
前記第一ハウジング及び前記第二ハウジングにおける、少なくとも水の降りかかる可能性のある受水部位に設けられる、
請求項１に記載の電気コネクタ組立体。
【請求項３】
前記第一谷領域に連なり、前記受水部位とは異なる前記第一ハウジングの側面を、水が案内される第一排水路と、
前記第二谷領域に連なり、前記受水部位とは異なる前記第二ハウジングの側面を、水が案内される第二排水路と、を備える、
請求項２に記載の電気コネクタ組立体。
【請求項４】
前記山領域は、
前記第一ハウジングに形成され、前記第一ハウジングの後方に向けて下る第一傾斜面と、
前記第二ハウジングに形成され、前記第二ハウジングの後方に向けて下る第二傾斜面と、を備える、
請求項１〜請求項３のいずれか一項に記載の電気コネクタ組立体。
【請求項５】
前記頂上に臨む前記第一傾斜面の位置と、前記頂上に臨む前記第二傾斜面の位置は、高さ方向において一致するか又は異なる、
請求項４に記載の電気コネクタ組立体。
【手続補正２】
【補正対象書類名】明細書
【補正対象項目名】００１１
【補正方法】変更
【補正の内容】
【００１１】
本発明の排水構造において、頂上に臨む第一傾斜面の位置と、頂上に臨む第二傾斜面の位置は、高さ方向において一致してもよいし、異なってもよい。